(57)【要約】      （修正有）【課題】一方向に延伸された保持体に昇華性のある臭気発生物質を保持させる事で、猪や鼬などの獣による農作物被害を防止する獣害防止装置を提供する。【解決手段】フェルトの布地を幅方向に二つ折りにし、端部を閉じた筒状の収納体１２に市販の防虫剤１４を収納する。収納体１２は、長さ方向において一定間隔で設けられた接合部１６によって複数の収納空間１８に仕切られ、各収納空間１８に略同量の防虫剤１４が収納される。獣害防止装置１０は農作地を取り囲むように設置して使用し、設置するときには、起点となる箇所に獣害防止装置１０の一端側を固定し、他端側を持って農作地の周囲を移動しながら地面に置いていくだけで簡単に設置することができる。設置した後にステープルなどによって地面に固定する。【選択図】図１
0003164186.tif 000002
【実用新案登録請求の範囲】
【請求項１】
一方向に延伸された保持体に昇華性のある臭気発生物質を保持させてなる、獣害防止装置。
【請求項２】
前記保持体が通気性のある収納体であって、前記収納体の内部空間を前記収納体の長さ方向に一定もしくは任意の間隔をおいて区画した複数の収納空間にそれぞれ前記臭気発生物質を収納させてなる、請求項１に記載の獣害防止装置。
【請求項３】
前記臭気発生物質を予め付着させた単数もしくは複数の前記保持体を捻って螺旋状に整形したものである、請求項１に記載の獣害防止装置。
【考案の詳細な説明】
【技術分野】
【０００１】
本考案は、猪や鼬などの獣による農作物被害を防止するための装置に関する。
【背景技術】
【０００２】
従来の獣害防止装置は概ね２つのタイプに分別される。一つは、農作地の周りに防護ネットを張り巡らすことで獣の侵入を物理的に不可能にするというものである（特許文献１、２参照）。もう一つは、獣が嫌う臭気を発生する忌避剤などを用いて獣の接近を阻むというものである（特許文献３参照）。
【先行技術文献】
【特許文献】
【０００３】
【特許文献１】特開２００８−１８７９５１号公報
【特許文献２】特開２００７−７４９７３号公報
【特許文献３】特開２００８−２４７７６７号公報
【考案の概要】
【考案が解決しようとする課題】
【０００４】
しかしながら、例えば猪などは防護ネットの下に穴を掘り、そこから易々と農作地に侵入してしまうという実態がある。また農作地の周りに防護ネットを張り巡らせると見栄えが悪くなるばかりでなく、人間や作業機械の出入りが制限され、作業効率が低下するという問題も生じる。
忌避剤についてはこのような問題はないものの、散布した場所が特定し難く、一度散布したものを回収することは非常に困難である。また原料として安全性の高い物質を使用している場合であっても、直接土壌に触れることに抵抗感を示す人は多い。
本考案は、これらの課題を解決し得る獣害防止装置を提供することを目的としている。
【課題を解決するための手段】
【０００５】
本考案は、一方向に延伸された保持体に昇華性のある臭気発生物質を保持させてなる、獣害防止装置を提供する。
【０００６】
このような獣害防止装置であれば、保持体の一端を地面に固定し、他端側を持って農作地の周囲を移動しながら地面に置いていくだけで簡単に設置することができる。また保持体を用いることで臭気発生物質を散布した場所がわかりやすくなり、広大な農作地に計画的に散布することができるようになる。臭気発生物質を除去する必要が生じた場合には保持体を回収することだけで簡単に対応することができる。
【０００７】
本考案において一方向に延伸された保持体とは、幅に対する長さが非常に大きく、好ましくは幅は数ｍｍから数十ｍｍ、長さは数ｍから数十ｍであって、柔軟性を有する布や樹脂、紙などを帯状、袋状、筒状、螺旋状などの様々な形状に整形したものである。保持体の素材としては、入手のしやすさの点から不織布や育苗紙などを用いることができるが、生分解性の樹脂もしくは繊維を用いれば、使用後に土壌に還元されることで廃棄物処理を容易にし、地球環境保全にも貢献できる。
【０００８】
本考案において昇華性のある臭気発生物質とは、ナフタレン、パラジクロロベンゼン、カンフル、メントールなどの常温下で固体から気体に変化する物質をいう。これらは水に対して難溶性が高いため、雨水等によって地中に溶け出す心配がなく、安全性が高い。特に防臭剤としても多用されるナフタレン、パラジクロロベンゼンは獣の忌避剤としての効果が高い。
【０００９】
本考案において保持とは、袋状もしくは筒状の保持体の内部空間に固形の臭気発生物質を置くこと、保持体自体に液状もしくは粉末状にした臭気発生物質を塗布、撒布などによって付着させることなどを含む概念である。
【００１０】
獣害防止装置は、通気性のある筒状の収納体の内部空間を収納体の長さ方向に一定もしくは任意の間隔をおいて区画した複数の収納空間にそれぞれ臭気発生物質を収納させてなるものとすることができる。
【００１１】
このような獣害防止装置であれば、収納体に収納した臭気発生物質は一箇所に集まることなく、一定もしくは任意の間隔をおいて分散されるので、農作地の境界などに沿って収納体を設置するだけでほぼ均等な量の臭気発生物質を散布することができる。
【００１２】
本考案において通気性のある収納体とは、素材自体に通気性があるもの、もしくは素材自体には通気性はないが、孔やスリットを設けることで通気性を確保した収納体をいう。
【００１３】
獣害防止装置は、臭気発生物質を予め付着させた単数もしくは複数の保持体を捻って螺旋状に整形したものとすることができる。
【００１４】
螺旋状に捻ることで保持体には外側から見える部分と見えない部分ができる。外側から見えない部分は外気に直接は曝さないため昇華速度が遅く、臭気発生物質が長期間残留することになるので、忌避効果が長期間持続する。
【考案の効果】
【００１５】
本考案の獣害防止装置は、地面に設置するだけで臭気を発生し、獣の接近を阻止できるものになっている。特に猪は鼻が地面に近い位置にあるため、地面より高い位置に設置する必要がなく、設置が容易であるとともに見栄えを悪くすることもない。臭気発生物質は収納体に収納された状態にあり、土壌と直接接触することなく空中に飛散するため、土壌に悪影響を及ぼす可能性はほとんどなく、安全な忌避剤として農作物を獣害から保護することができる。
【図面の簡単な説明】
【００１６】
【図１】獣害防止装置の平面図
【図２】他の獣害防止装置の平面図
【図３】獣害防止装置の設置例を示す平面図
【図４】獣害防止装置の他の設置例を示す平面図
【考案を実施するための形態】
【００１７】
以下、本考案の実施の形態について、添付した図面を参照して説明する。図１において獣害防止装置１０は、フェルトの布地を幅方向に二つ折りにし、端部を閉じた筒状の収納体１２に市販の防虫剤１４を収納したものである。収納体１２は長さ方向において一定間隔で設けられた接合部１６によって複数の収納空間１８に仕切られており、各収納空間１８に略同量の防虫剤１４が収納されている。接合部１６は接着や縫合、係合などによって折り返された布地同士を接合させている。
【００１８】
接合部１６による仕切りは各収納空間１８の完全な遮断を要求するものではなく、防虫剤１４が隣り合う収納空間１８の間を移動できない程度の隙間の存在は許容される。なお仕切りは、臭気発生物質として固形の防虫剤を用いる場合に必要であり、布地に塗布したり、付着させたりする場合には必要なものではない。
【００１９】
図２において獣害防止装置２０、３０は、フェルト製の帯状の布地２２、３２を捻って螺旋状に整形したものである。布地２２、３２には予め市販の防虫剤を細かく砕いたものが付着している。これを捻って螺旋状に整形することで布地２２、３２に外側から見える部分と見えない部分ができる。外側から見える部分は直接空気に触れるため、そこに塗布された防虫剤は早い段階で昇華し始め、即効性のある忌避剤として作用する。これに対し外側から見えない部分に塗布された防虫剤の昇華速度は遅く、長期間残留するため、持続性のある忌避剤として作用する。
【００２０】
図２（ａ）は、比較的幅の狭い２個以上の複数のフェルトの布地２２を編み込むように捻って螺旋状に整形したものを示し、図２（ｂ）は、比較的幅の広い単数のフェルトの布地３２を絞るように捻って螺旋状に整形したものを示している。
【００２１】
獣害防止装置１０、２０、３０は、例えば図３に示すように、田畑４０を取り囲むように設置して使用する。設置するときには、起点となる箇所に獣害防止装置１０、２０、３０の一端側を固定し、他端側を持って田畑４０の周囲を移動しながら地面に置いていくだけで簡単に設置することができる。設置した後にステープル４２などによって適宜の間隔で地面に固定しておけば、鳥のいたずらや風雨などによって設置場所が変えられる不具合を防止することができる。
【００２２】
地面に近い位置に鼻がある猪などの獣は、獣害防止装置１０、２０、３０から発生する防虫剤の臭いを嫌い、獣害防止装置１０、２０、３０を乗り越えてまで田畑４０に侵入しようとはしなくなる。これに対し人間は地面から離れた位置に鼻があるのでほとんど臭気を感じず、不快な思いをすることがない。また防護ネットなどとは異なり獣害防止装置１０、２０、３０にはほとんど高さがないので、これを跨いで田畑４０に出入りしたり、農作業具や作業機械を搬出入したりするのも容易である。
【００２３】
獣害防止装置１０、２０、３０は、田畑４０の周囲に設置するだけでなく、図４に示すように、果樹園５０の入り口５２を横断するような長さに調整して設置することもできる。
【符号の説明】
【００２４】
１０、２０、３０  獣害防止装置
１２              収納体
１４              防虫剤
１６              接合部
１８              収納空間
２２、３２        布地
４０              田畑
５０              果樹園  
【図１】
0003164186.tif 000003
【図２】
0003164186.tif 000004
【図３】
0003164186.tif 000005
【図４】
0003164186.tif 000006